Podtech/llm-jp-corpus-v4-ja_patent huggingface dataset:
【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
ｐチャネルまたはｎチャネルのいずれか一方の導電型のＭＯＳトランジスタが集積形成され、かつ出力端子、制御端子、共通端子を有する半導体集積回路であって、
上記出力端子にドレイン、上記制御端子にゲート、上記共通端子にソースがそれぞれ接続されて、上記出力端子と共通端子との間に通電される電流を上記制御端子に与えられる制御電圧によって制御するパワーＭＯＳトランジスタと、
前記電流を電圧に変換する電流検出用回路と、
ゲート・ソース間しきい値電圧が少なくとも等価的に異なるように形成され、かつそれぞれのドレインとゲートが互いに同電位となるように共通接続された一対のＭＯＳトランジスタを有し、両トランジスタのドレインが共通接続され、この共通接続点が電流制限回路を介して上記制御端子に接続されることにより、各トランジスタにそれぞれ上記制御端子からドレイン電流が供給されるとともに、上記しきい値電圧が低い方のトランジスタのソースがインピーダンス回路を介して上記共通端子に接続され、かつ上記しきい値電圧が高い方のトランジスタのソースが上記共通端子に接続されることにより、上記インピーダンス回路の両端から両トランジスタのゲート・ソース間しきい値電圧の差をパラメータとする基準電圧を発生する基準電圧発生回路と、
上記制御端子と上記共通端子との間に与えられる制御電圧によって動作し、上記電流検出用回路から得られる電流検出電圧と上記基準電圧を比較する比較回路と、
上記比較回路の比較出力を受けて上記パワーＭＯＳトランジスタのゲート電圧を制御するゲート制御用ＭＯＳトランジスタが、
同一半導体基板に形成されていることを特徴とする半導体集積回路。
【請求項２】
前記パワーＭＯＳトランジスタにカレントミラー接続されて前記電流を所定のミラー比で流す電流検出用ＭＯＳトランジスタを有し、前記電流検出用回路はその電流検出用トランジスタに流れるミラー電流を電圧に変換することを特徴とする請求項１に記載の半導体集積回路。
【請求項３】
前記半導体基板に形成されているトランジスタがすべてｎチャネルＭＯＳトランジスタであることを特徴とする請求項１または２に記載の半導体集積回路。
【請求項４】
前記基準電圧発生回路が前記比較回路の最低動作電圧よりも低い入力電圧を受けることによって予め設定された基準電圧を発生するように構成されていることを特徴とする請求項１から３のいずれかに記載の半導体集積回路。
【請求項５】
前記比較回路は、その出力状態を自己保持するラッチ機能を含んでいることを特徴とする請求項１から４のいずれかに記載の半導体集積回路。
【請求項６】
前記パワーＭＯＳトランジスタのゲートに抵抗素子が直列に挿入されるとともに、このゲート直列抵抗素子のゲート側と共通端子の間に前記ゲート制御用ＭＯＳトランジスタのドレインとソースが並列に接続されて、上記パワーＭＯＳトランジスタのゲート電圧を制御する回路を形成していることを特徴とする請求項１から５のいずれかに記載の半導体集積回路。
【請求項７】
前記基準電圧発生回路が前記比較回路の最低動作電圧よりも低い入力電圧で所定の基準電圧を発生するように、前記一対のＭＯＳトランジスタのゲート・ソース間しきい値電圧またはそのしきい値電圧の差によって生成される基準電圧が設定されていることを特徴とする請求項１から６のいずれかに記載の半導体集積回路。
【請求項８】
前記電流制限回路が高抵抗の多結晶シリコン層によって形成されていることを特徴とする請求項１から７のいずれかに記載の半導体集積回路。
【請求項９】
前記パワーＭＯＳトランジスタが多結晶シリコンゲートを用いて形成されていることを特徴とする請求項１から８のいずれかに記載の半導体集積回路。
【請求項１０】
前記基準電圧発生回路を形成する一対のＭＯＳトランジスタは、チャネル層の不純物濃度を異ならせることによって互いに異なるゲート・ソース間しきい値を付与されていることを特徴とする請求項１から９のいずれかに記載の半導体集積回路。
【請求項１１】
前記基準電圧発生回路を形成する一対のＭＯＳトランジスタは、ゲート幅とチャネル長の比を異ならせることによって互いに異なるゲート・ソース間しきい値を付与されていることを特徴とする請求項１から１０のいずれかに記載の半導体集積回路。
【請求項１２】
前記基準電圧発生回路を形成する一対のＭＯＳトランジスタは、ドレインに直列に介在する抵抗によって互いに異なるゲート・ソース間しきい値が等価的に付与されていることを特徴とする請求項１から１１のいずれかに記載の半導体集積回路。
【請求項１３】
前記制御端子に与えられる制御電圧によって動作する温度検出回路と、この温度検出回路が所定以上の温度を検出したときに出力状態を反転させて自己保持するラッチ回路と、このラッチ回路の保持出力をゲートに受けて前記パワーＭＯＳトランジスタのゲート電圧を制御するゲート電圧制御用ＭＯＳトランジスタが前記半導体基板に形成されていることを特徴とする請求項１から１２の半導体集積回路。
【請求項１４】
前記基準電圧発生回路において、ソースがインピーダンス回路を介して共通端子に接続されている一方のＭＯＳトランジスタは、そのバックゲートが共通端子と同電位に接続されていることを特徴とする請求項１から１３のいずれかに記載の半導体集積回路。
【請求項１５】
前記出力端子は前記半導体基板から、前記共通端子はパワーＭＯＳトランジスタ上に形成された絶縁膜上の電極層からそれぞれ取り出されることを特徴とする請求項１から１４のいずれかに記載の半導体集積回路。
【請求項１６】
前記ＭＯＳトランジスタは、ｐチャネル導電型のＭＯＳトランジスタで構成されることを特徴とする請求項１に記載の半導体集積回路。
【請求項１７】
前記ＭＯＳトランジスタは、ｎチャネル導電型のＭＯＳトランジスタで構成されることを特徴とする請求項１に記載の半導体集積回路。
【手続補正書】
【提出日】平成16年7月13日(2004.7.13)
【手続補正１】
【補正対象書類名】明細書
【補正対象項目名】請求項２
【補正方法】変更
【補正の内容】
【請求項２】
前記表面保護膜は、ポリシラザンを用いたコーティング法により形成されたもの及び金属アルコキシドの縮合膜のいずれかであることを特徴とする請求項１記載の圧電振動子。
【手続補正２】
【補正対象書類名】明細書
【補正対象項目名】０００６
【補正方法】変更
【補正の内容】
【０００６】
本発明の第２の様態は、第１の様態において、前記露出部を被覆する表面保護膜が、ポリシラザンによるコーティング法によって形成されたもの及び金属アルコキシドの縮合膜のいずれかであることを特徴とする圧電振動子にある。
【手続補正書】
【提出日】平成16年2月13日(2004.2.13)
【手続補正１】
【補正対象書類名】明細書
【補正対象項目名】特許請求の範囲
【補正方法】変更
【補正の内容】
【特許請求の範囲】
【請求項１】
磁気を検知する磁気センサーと、前記磁気センサーに磁束を導入するフラックスガイドとを備える磁気ヘッドにおいて、
前記フラックスガイドは、所定の温度Ｔｐ以上では強磁性を示し、Ｔｐ未満では反強磁性を示す材料からなり、
前記フラックスガイドの少なくとも一部が、前記温度Ｔｐ以上では磁束を透過させ、Ｔｐ未満では磁束を透過させないものであり、
前記フラックスガイドの少なくとも一部の幅は、前記フラックスガイドの幅より狭く、
前記フラックスガイドの少なくとも一部を介して磁気記録媒体からの磁束が透過することを特徴とする磁気ヘッド。
【請求項２】
請求項１記載の磁気ヘッドにおいて、前記磁気センサーは、外部磁界に応じて磁化が回転する軟磁性自由層と、非磁性中間層と、外部磁界に対して磁化が固定されている強磁性固定層との積層構造を有することを特徴とする磁気ヘッド。
【請求項３】
基板上に形成された下部磁気コアと、先端部は磁気ギャップ膜を介して前記下部磁気コアと対向し後端部は前記下部磁気コアとコンタクト部で磁気的に結合している上部磁気コアと、前記下部磁気コアとコンタクト部と上部磁気コアとで構成される磁気回路に磁束を発生させるためのコイルとを備える磁気ヘッドにおいて、
前記上部磁気コアの先端部にフラックスガイドが設けられており、
該フラックスガイドは、所定の温度Ｔｐ以上では磁束を透過させる磁束透過領域を有し、Ｔｐ未満では磁束を透過させず、
前記磁束透過領域の幅は前記フラックスガイドの幅より狭く、前記磁束透過領域を介して磁気記録媒体からの磁束が透過することを特徴とする磁気ヘッド。
【請求項４】
請求項１，２又は３記載の磁気ヘッドにおいて、前記フラックスガイドの上に形成した遮光膜スリットと、前記遮光膜スリットを介して前記フラックスガイドに光を照射する手段とを備えることを特徴とする磁気ヘッド。
【請求項５】
請求項１〜４のいずれか１項記載の磁気ヘッドにおいて、前記フラックスガイドはＮｉＯ、ＭｎＲｈ、ＦｅＭｎのいずれかからなる反強磁性膜を含むことを特徴とする磁気ヘッド。
【請求項６】
請求項１〜４のいずれか１項記載の磁気ヘッドにおいて、前記フラックスガイドはＮｉＯ、ＭｎＲｈ、ＦｅＭｎのいずれかとＮｉＦｅとの積層膜で構成されることを特徴とする磁気ヘッド。
【請求項７】
反転磁区によって情報を保持する磁気記録媒体と、前記磁気記録媒体を駆動する媒体駆動部と、前記磁気記録媒体に対して記録又は再生を行う磁気ヘッドと、前記磁気記録媒体に対して前記磁気ヘッドを相対的に駆動する磁気ヘッド駆動部とを含む磁気記録再生装置において、
前記磁気ヘッドとして請求項１〜６のいずれか１項記載の磁気ヘッドを用いたことを特徴とする磁気記録再生装置。
【請求項８】
磁気記録媒体からの漏洩磁束をフラックスガイドによって磁気センサーに導入して検出する磁気記録情報の再生方法において、
前記フラックスガイドの少なくとも一部を所定の温度Ｔｐ以上では磁束を透過させ、Ｔｐ未満では磁束を透過させない材料で構成し、前記フラックスガイドの一部の領域に光を照射して該光照射部分の温度を前記Ｔｐ以上に上昇させることにより前記フラックスガイド中に当該フラックスガイドの幅より狭い幅の磁路を設定し、前記光照射によって設定された磁路を通して磁気記録媒体から磁束を前記磁気センサーに導入することを特徴とする磁気記録情報の再生方法。
【請求項９】
磁極から出た磁束を磁気記録媒体に作用させて磁気記録媒体に磁気記録を行う磁気記録方法において、
前記磁極の先端部に所定の温度Ｔｐ以上では磁束を透過させ、Ｔｐ未満では磁束を透過させない材料からなるフラックスガイドを接続し、前記フラックスガイドの一部の領域に光を照射して該光照射部分の温度を前記Ｔｐ以上に上昇させることにより前記フラックスガイド中に当該フラックスガイドの幅より狭い幅の磁路を設定し、前記光照射によって設定された磁路を通って出た磁束を磁気記録媒体に作用させることを特徴とする磁気記録方法。
【手続補正書】
【提出日】平成16年12月2日(2004.12.2)
【手続補正１】
【補正対象書類名】明細書
【補正対象項目名】請求項２
【補正方法】変更
【補正の内容】
【請求項２】
前記固有の情報が、そのデータ層を特定する情報、そのデータ層の記録条件、そのデータ層の再生条件、そのデータ層に記録された情報の変調方式およびそのデータ層においてサーボを行うためのサーボ情報の少なくとも１種を含む請求項１の光情報媒体。
【手続補正２】
【補正対象書類名】明細書
【補正対象項目名】請求項１２
【補正方法】変更
【補正の内容】
【請求項１２】
データ層に相変化型の記録層が複数含まれ、記録層が厚いほど結晶化速度の遅い組成となっている請求項１１の光情報媒体。
【手続補正３】
【補正対象書類名】明細書
【補正対象項目名】０００７
【補正方法】変更
【補正の内容】
【０００７】
【課題を解決するための手段】
本発明は、下記（１）〜（１２）により特定される。
（１）  記録情報および／またはトラッキングサーボ情報を保持する情報保持層が少なくとも２層積層され、前記情報保持層の少なくとも１層が記録情報を保持するデータ層であり、他の情報保持層を透過した記録光または再生光により記録または再生が行われる情報保持層が存在する光情報媒体であって、
データ層に、そのデータ層固有の情報が記録されている光情報媒体。
（２）  前記固有の情報が、そのデータ層を特定する情報、そのデータ層の記録条件、そのデータ層の再生条件、そのデータ層に記録された情報の変調方式およびそのデータ層においてサーボを行うためのサーボ情報の少なくとも１種を含む上記（１）の光情報媒体。
（３）  前記固有の情報が、トラッキングサーボを行わずに読み出し可能な上記（１）または（２）の光情報媒体。
（４）  前記固有の情報が記録されている固有情報記録領域が、記録トラックに直交する方向において幅５μm〜５mmで存在し、その幅方向の任意の位置で前記固有の情報の読み出しが可能な上記（１）〜（３）のいずれかの光情報媒体。
（５）  前記固有情報記録領域が、記録トラック延在方向において低反射率領域と高反射率領域とが交互に存在するバーコード状である上記（１）〜（４）のいずれかの光情報媒体。
（６）  データ層に記録層および／または反射層が含まれ、前記低反射率領域または前記高反射率領域が、前記記録層および／または前記反射層を欠落させることによって形成されている上記（５）の光情報媒体。
（７）  データ層に相変化型の記録層が含まれ、前記低反射率領域または前記高反射率領域が、前記記録層の結晶状態を変化させることにより形成されている上記（５）または（６）の光情報媒体。
（８）  データ層に記録層および／または反射層が含まれ、前記低反射率領域または前記高反射率領域が、前記記録層および／または前記反射層に設けた凹凸によって形成されている上記（５）〜（７）のいずれかの光情報媒体。
（９）  前記固有の情報に記録時の媒体の最適線速度が含まれ、この最適線速度が相異なる複数のデータ層が存在する上記（１）〜（８）のいずれかの光情報媒体。
（１０）  前記固有の情報に記録光の最適照射パターンが含まれ、この最適照射パターンの相異なる複数のデータ層が存在する上記（１）〜（９）のいずれかの光情報媒体。
（１１）  厚さの相異なる複数のデータ層が存在する上記（１）〜（１０）のいずれかの光情報媒体。
（１２）  データ層に相変化型の記録層が複数含まれ、記録層が厚いほど結晶化速度の遅い組成となっている上記（１１）の光情報媒体。
【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  画像を表示可能であり、その画像の表示状態が変化可能な画像表示手段を有する遊技機であって、
前記画像表示手段の表示結果が予め定められた特定の表示態様となったときに、遊技状態を、遊技者に有利な第１の状態にした後遊技者に不利な第２の状態にし、再度第１の状態に繰返し継続制御する制御を行なう遊技制御手段と、
前記画像表示手段に画像を表示するための複数種類の画像データを記憶する画像データ記憶手段と、
前記第１の状態において前記画像表示手段に表示する画像の画像データを、前記画像データ記憶手段に記憶されている複数種類の画像データの中から選択する画像データ選択手段と、
前記画像データ記憶手段に記憶されている画像データに基づく画像を前記画像表示手段に表示させる制御を行なう画像表示制御手段とを含み、
該画像表示制御手段は、前記第１の状態において、前記画像データ選択手段で選択された画像データに基づく画像を前記画像表示手段に表示させる制御を行ない、
前記画像データ選択手段は、一度選択した画像データと同じ画像データを所定期間内に再度選択しないことを特徴とする、遊技機。
【手続補正２】
【補正対象書類名】明細書
【補正対象項目名】０００８
【補正方法】変更
【補正の内容】
【０００８】
【課題を解決するための手段】
請求項１に記載の本発明は、画像を表示可能であり、その画像の表示状態が変化可能な画像表示手段を有する遊技機であって、
前記画像表示手段の表示結果が予め定められた特定の表示態様となったときに、遊技状態を、遊技者に有利な第１の状態にした後遊技者に不利な第２の状態にし、再度第１の状態に繰返し継続制御する制御を行なう遊技制御手段と、
前記画像表示手段に画像を表示するための複数種類の画像データを記憶する画像データ記憶手段と、
前記第１の状態において前記画像表示手段に表示する画像の画像データを、前記画像データ記憶手段に記憶されている複数種類の画像データの中から選択する画像データ選択手段と、
前記画像データ記憶手段に記憶されている画像データに基づく画像を前記画像表示手段に表示させる制御を行なう画像表示制御手段とを含み、
該画像表示制御手段は、前記第１の状態において、前記画像データ選択手段で選択された画像データに基づく画像を前記画像表示手段に表示させる制御を行ない、
前記画像データ選択手段は、一度選択した画像データと同じ画像データを所定期間内に再度選択しないことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
【作用】
請求項１に記載の本発明によれば、遊技制御手段の働きにより、画像表示手段の表示結果が予め定められた特定の表示態様となったときに、遊技状態を、遊技者に有利な第１の状態にした後遊技者に不利な第２の状態にし、再度第１の状態に繰返し継続制御する制御が行なわれる。画像データ記憶手段の働きにより、画像表示手段に画像を表示するための複数種類の画像データが記憶される。画像データ選択手段の働きにより、第１の状態において画像表示手段に表示する画像の画像データが、画像データ記憶手段に記憶されている複数種類の画像データの中から選択される。画像表示制御手段の働きにより、画像データ記憶手段に記憶されている画像データに基づく画像を画像表示手段に表示させる制御が行なわれる。画像データ表示制御手段のさらなる働きにより、第１の状態において、画像データ選択手段で選択された画像データに基づく画像を画像表示手段に表示させる制御が行なわれる。このように、第１の状態において画像表示手段に表示される画像は、複数種類の画像の中から選ばれる。画像データ選択手段のさらなる働きにより、一度選択された画像データと同じ画像データが所定期間中には再度選択されない。このように、繰返し継続制御のある回の第１の状態において表示された画像は、所定期間中には再び表示されない。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】０１２７
【補正方法】変更
【補正の内容】
【０１２７】
【課題を解決するための手段の具体例の効果】
請求項１に記載の本発明によれば、第１の状態において画像表示手段に表示される画像は、予め記憶されている複数の画像データの中から選択された画像データに基づくものであるため、第１の状態における画像表示のバリエーションを豊富にし、画像表示内容という面から繰返し継続制御における遊技者の興趣の向上を図ることができる。さらに、一度選択されて表示された画像データと同じ画像データは、所定期間中には再度表示されないため、遊技者を飽きさせないようにすることができる。
【手続補正１１】
【補正対象書類名】明細書
【補正対象項目名】０１２８
【補正方法】削除
【補正の内容】
【手続補正１２】
【補正対象書類名】明細書
【補正対象項目名】０１２９
【補正方法】削除
【補正の内容】
【手続補正１３】
【補正対象書類名】明細書
【補正対象項目名】０１３０
【補正方法】削除
【補正の内容】
【手続補正書】
【提出日】平成16年3月26日(2004.3.26)
【手続補正１】
【補正対象書類名】明細書
【補正対象項目名】発明の名称
【補正方法】変更
【補正の内容】
【発明の名称】右回り全回転垂直釜及びその内釜押え
【手続補正２】
【補正対象書類名】明細書
【補正対象項目名】特許請求の範囲
【補正方法】変更
【補正の内容】
【特許請求の範囲】
【請求項１】
剣先を備えた全回転する外釜と、ボビン及びボビンケースがセットされる内釜と、外釜の表側に裏側からネジにより固定され外釜に対して内釜を相対回転可能に保持する内釜押えとを備え、外釜の裏側に針が降下する右回り全回転垂直釜において、外釜の裏側の降下する針に対向する範囲にネジ穴を形成しないことを特徴とする右回り全回転垂直釜。
【請求項２】
剣先を備えた全回転する外釜と、ボビン及びボビンケースがセットされる内釜とからなる右回り全回転垂直釜の外釜の表側に裏側からネジにより固定され外釜に対して内釜を相対回転可能に保持する内釜押えであって、外釜の裏側の降下する針に対向する範囲にはネジ穴を形成しないことを特徴とする右回り全回転垂直釜の内釜押え。
【手続補正３】
【補正対象書類名】明細書
【補正対象項目名】０００８
【補正方法】変更
【補正の内容】
【０００８】
【課題を解決するための手段】
この発明の右回り全回転垂直釜は、剣先を備えた全回転する外釜と、ボビン及びボビンケースがセットされる内釜と、外釜の表側に裏側からネジにより固定され外釜に対して内釜を相対回転可能に保持する内釜押えとを備え、外釜の裏側に針が降下する右回り全回転垂直釜において、外釜の裏側の降下する針に対向する範囲にネジ穴を形成しないことを特徴とするものである。また、この発明の右回り全回転垂直釜の内釜押えは、剣先を備えた全回転する外釜と、ボビン及びボビンケースがセットされる内釜とからなる右回り全回転垂直釜の外釜の表側に裏側からネジにより固定され外釜に対して内釜を相対回転可能に保持する内釜押えであって、外釜の裏側の降下する針に対向する範囲にはネジ穴を形成しないことを特徴とするものである。
【手続補正書】
【提出日】平成16年4月7日(2004.4.7)
【手続補正１】
【補正対象書類名】明細書
【補正対象項目名】特許請求の範囲
【補正方法】変更
【補正の内容】
【特許請求の範囲】
【請求項１】
プレーヤに対してミニゲームの画面を表示し、該ミニゲームをプレーヤがプレイするためのゲーム装置であって、
複数の属性の中から少なくとも１つの属性が設定されたミニゲームの画面を生成する手段と、
１又は複数のミニゲームのプレイ後に、複数のパラメータの中の前記属性に対応するパラメータを前記ミニゲームのプレイ結果に応じて段階的に変化させるパラメータ変化手段と、
ゲーム出力情報の内容を、前記パラメータに基づいて段階的に変化させる出力情報変化手段とを含み、
前記パラメータが、ゲームに登場するゲームキャラクタのパラメータであり、
ミニゲームのプレイ結果に応じたパラメータの変化によりゲームキャラクタの育成シミュレーションを行う手段を含むことを特徴とするゲーム装置。
【請求項２】
請求項１において、
前記出力情報変化手段が、
前記パラメータに基づいて、画面に表示されるゲームキャラクタの画像を段階的に変化させることを特徴とするゲーム装置。
【請求項３】
請求項１又は２において、
複数のミニゲームで１組となるミニゲーム群に対するプレーヤのプレイ結果に応じて、画面に表示されるゲームキャラクタに持たせる年齢属性を段階的に変化させる手段を含むことを特徴とするゲーム装置。
【請求項４】
プレーヤに対してミニゲームの画面を表示し、該ミニゲームをプレーヤがプレイするためのゲーム装置であって、
複数の属性の中から少なくとも１つの属性が設定されたミニゲームの画面を生成する手段と、
１又は複数のミニゲームのプレイ後に、複数のパラメータの中の前記属性に対応するパラメータを前記ミニゲームのプレイ結果に応じて段階的に変化させるパラメータ変化手段と、
ゲーム出力情報及びミニゲームの内容の少なくとも一方が異なる複数のゲームステージの中のいずれかにゲーム進行が分岐する分岐イベントを発生するイベント発生手段と、
前記パラメータに基づいて、前記複数のゲームステージのいずれに進行するかを選択する選択手段とを含み、
前記パラメータが、ゲームに登場するゲームキャラクタのパラメータであり、
ミニゲームのプレイ結果に応じたパラメータの変化によりゲームキャラクタの育成シミュレーションを行う手段を含むことを特徴とするゲーム装置。
【請求項５】
請求項４において、
前記複数のゲームステージの中の１のゲームステージにおいて出されるミニゲームの中で１の属性が設定されているミニゲームの割合と、他のゲームステージにおいて出されるミニゲームの中で前記１の属性が設定されているミニゲームの割合とを異ならせる手段を含むことを特徴とするゲーム装置。
【請求項６】
請求項１乃至５のいずれかにおいて、
前記パラメータに基づいて、画面に表示されるゲームキャラクタの音声を段階的に変化させる手段を含むことを特徴とするゲーム装置。
【請求項７】
請求項１乃至６のいずれかにおいて、
ゲームキャラクタの成長度合いを随時プレーヤに知らせるための画面を表示する手段を含むことを特徴とするゲーム装置。
【請求項８】
プレーヤに対してミニゲームの画面を表示し、該ミニゲームをプレーヤがプレイするための情報が格納される、コンピュータ読み取り可能な情報記憶媒体であって、
複数の属性の中から少なくとも１つの属性が設定されたミニゲームの画面を生成する手段と、
１又は複数のミニゲームのプレイ後に、複数のパラメータの中の前記属性に対応するパラメータを前記ミニゲームのプレイ結果に応じて段階的に変化させるパラメータ手段と、
ゲーム出力情報の内容を、前記パラメータに基づいて段階的に変化させる出力情報手段として、
コンピュータを機能させるプログラムを記憶し、
前記パラメータが、ゲームに登場するゲームキャラクタのパラメータであり、
ミニゲームのプレイ結果に応じたパラメータの変化によりゲームキャラクタの育成シミュレーションを行う手段としてコンピュータを機能させるプログラムを記憶したことを特徴とする情報記憶媒体。
【請求項９】
請求項８において、
前記出力情報変化手段が、
前記パラメータに基づいて、画面に表示されるゲームキャラクタの画像を段階的に変化させることを特徴とする情報記憶媒体。
【請求項１０】
請求項８又は９において、
複数のミニゲームで１組となるミニゲーム群に対するプレーヤのプレイ結果に応じて、画面に表示されるゲームキャラクタに持たせる年齢属性を段階的に変化させる手段としてコンピュータを機能させるプログラムを記憶したことを特徴とする情報記憶媒体。
【請求項１１】
プレーヤに対してミニゲームの画面を表示し、該ミニゲームをプレーヤがプレイするための情報が格納される、コンピュータ読み取り可能な情報記憶媒体であって、
複数の属性の中から少なくとも１つの属性が設定されたミニゲームの画面を生成する手段と、
１又は複数のミニゲームのプレイ後に、複数のパラメータの中の前記属性に対応するパラメータを前記ミニゲームのプレイ結果に応じて段階的に変化させパラメータ変化手段と、
ゲーム出力情報及びミニゲームの内容の少なくとも一方が異なる複数のゲームステージの中のいずれかにゲーム進行が分岐する分岐イベントを発生するイベント発生手段と、
前記パラメータに基づいて、前記複数のゲームステージのいずれに進行するかを選択する選択手段として、
コンピュータを機能させるプログラムを記憶し、
前記パラメータが、ゲームに登場するゲームキャラクタのパラメータであり、
ミニゲームのプレイ結果に応じたパラメータの変化によりゲームキャラクタの育成シミュレーションを行う手段としてコンピュータを機能させるプログラムを記憶したことを特徴とする情報記憶媒体。
【請求項１２】
請求項１１において、
前記複数のゲームステージの中の１のゲームステージにおいて出されるミニゲームの中で１の属性が設定されているミニゲームの割合と、他のゲームステージにおいて出されるミニゲームの中で前記１の属性が設定されているミニゲームの割合とを異ならせる手段としてコンピュータを機能させるプログラムを記憶したことを特徴とする情報記憶媒体。
【請求項１３】
請求項８乃至１２のいずれかにおいて、
前記パラメータに基づいて、画面に表示されるゲームキャラクタの音声を段階的に変化させる手段としてコンピュータを機能させるプログラムを記憶したことを特徴とする情報記憶媒体。
【請求項１４】
請求項８乃至１３のいずれかにおいて、
ゲームキャラクタの成長度合いを随時プレーヤに知らせるための画面を表示する手段としてコンピュータを機能させるプログラムを記憶したことを特徴とする情報記憶媒体。
【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
ｂｉｏＢ遺伝子産物とｎｉｆＵ遺伝子産物、ｎｉｆＳ遺伝子産物およびそれらの組合せからなる群から選択される追加の遺伝子産物とを含有する酵素反応混合物とデスチオビオチンを接触させ、得られたビオチンを反応混合物から単離することを特徴とする、デスチオビオチンからのビオチンの製造方法。
【請求項２】
ｂｉｏＢ遺伝子産物をコードするＤＮＡ配列とｎｉｆＵ遺伝子産物、ｎｉｆＳ遺伝子産物およびｎｉｆＵ遺伝子産物とｎｉｆＳ遺伝子産物の組合せをコードする配列からなる群から選択される追加のＤＮＡ配列とにより形質転換され、該ＤＮＡ配列を単一のプラスミドまたはお互いに独立した複数のプラスミド上で発現する微生物を水性栄養培地中でデスチオビオチンの存在下で培養し、得られたビオチンを培養液から単離することを特徴とする、デスチオビオチンからのビオチンの製造方法。
【手続補正２】
【補正対象書類名】明細書
【補正対象項目名】０００６
【補正方法】変更
【補正の内容】
【０００６】
【課題を解決するための手段】
したがって、本発明はｂｉｏＢ遺伝子（ビオチンシンターゼをコードする）産物（以後、ＢＩＯＢと略す）とさらにｎｉｆＵ遺伝子産物、ｎｉｆＳ遺伝子産物およびそれらの組合せからなる群から選択される追加の遺伝子産物とを含有する酵素反応混合物とデスチオビオチンを接触させ、得られたビオチンを反応混合物から単離することを特徴とする、デスチオビオチンからのビオチンの製造方法を提供するものであり、かかる製造方法において、ＢＩＯＢがエシェリヒア・コリのものであり、なおかつＮＩＦＵおよび／またはＮＩＦＳがクレビシエラ・ニューモニエ（K1ebsie11a pneumoniae）のものであり、もしくは前に記載の製造方法において、該酵素反応液がＳ−アデノシルメチオニン、Ｌ−システインおよび、例えば、ＮＡＤＰＨ、フェレドキシン−ＮＡＤＰレダクターゼおよびフラボドキシンからなる電子供与系またはデアザリボフラビンまたはその機能的同等物からなる電子供与体を含むものである。
【手続補正３】
【補正対象書類名】明細書
【補正対象項目名】０００８
【補正方法】変更
【補正の内容】
【０００８】
さらに本発明は、ｂｉｏＢ遺伝子産物をコードするＤＮＡ配列とｎｉｆＵ遺伝子産物、ｎｉｆＳ遺伝子産物およびｎｉｆＵ遺伝子産物とｎｉｆＳ遺伝子産物の組合せをコードする配列からなる群から選択される追加のＤＮＡ配列とにより形質転換され、該ＤＮＡ配列を単一のプラスミドまたはお互いに独立した複数のプラスミド上で発現する微生物を水性栄養培地中でデスチオビオチンの存在下で培養し、生産されたビオチンを培養培地から単離することを特徴とする、デスチオビオチンからのビオチンの製造方法を提供することにある。特に、このような方法においてここで言う微生物とはエシェリヒア属から選択された微生物であり、またここで言う培養は1〜５日間、好ましくは１〜３日間、ｐＨは５〜９、好ましくは６〜８、１０〜４５℃温度範囲、好ましくは２５〜４０℃の温度範囲で行われる。
【手続補正書】
【提出日】平成16年2月13日(2004.2.13)
【手続補正１】
【補正対象書類名】明細書
【補正対象項目名】請求項６
【補正方法】変更
【補正の内容】
【請求項６】
複数種類の薬剤を振り分けて収容した各フィーダを備え、これらのフィーダから複数の薬剤を排出させて、これらの薬剤を薬瓶に充填する薬剤分包装置において、複数種類の薬瓶を振り分けて収納する薬瓶収納手段と、薬瓶の各種類のうちのいずれかを指定する薬瓶指定手段と、前記薬瓶指定手段によって指定された種類の薬瓶を前記薬瓶収納手段から取り出す薬瓶取り出し手段と、前記薬瓶収納手段から取り出される薬瓶の口を検出する口検出手段と、この薬瓶に薬剤が充填されるまでに、この薬瓶の口が上に向くように、この薬瓶の姿勢を前記口検出手段の検出出力に基づいて修正し、この薬瓶を正立させる薬瓶正立手段とを備える薬剤分包装置。
【手続補正２】
【補正対象書類名】明細書
【補正対象項目名】請求項７
【補正方法】変更
【補正の内容】
【請求項７】
複数種類の薬剤を振り分けて収容した各フィーダを備え、これらのフィーダから複数の薬剤を排出させて、これらの薬剤を薬瓶に充填する薬剤分包装置において、複数種類の薬瓶を振り分けて収納する薬瓶収納手段と、薬瓶の各種類のうちのいずれかを指定する薬瓶指定手段と、前記薬瓶指定手段によって指定された種類の薬瓶を前記薬瓶収納手段から取り出す薬瓶取り出し手段と、前記薬瓶収納手段から取り出される薬瓶の口を検出する口検出手段と、この薬瓶の口が上に向くように、この薬瓶の姿勢を前記口検出手段の検出出力に基づいて修正し、この薬瓶を正立させる薬瓶正立手段と、薬瓶取り出し手段によって取り出される薬瓶の種類を判定する薬瓶判定手段と、前記薬瓶判定手段によって判定された薬瓶の種類が薬瓶指定手段によって指定された薬瓶の種類に一致しなければ、前記薬瓶取り出し手段によって取り出された薬瓶を排除する薬瓶排除手段と、各フィーダから排出された各薬剤を収集するホッパーを有し、このホッパーによって収集された各薬剤を薬瓶の口に導く薬剤充填手段と、薬瓶に充填された各薬剤に係わるデータをラベルに印刷し、このラベルを該薬瓶に貼着するラベル印刷貼着手段と、薬瓶に充填された薬剤に係わるデータを透明シートに印刷し、この透明シートによって該薬瓶の口を封止する透明シート印刷封止手段と、前記薬瓶取り出し手段によって取り出され、前記薬瓶正立手段によって正立された薬瓶を受け取り、この薬瓶を前記薬瓶判定手段、前記薬瓶排除手段、前記薬剤充填手段、前記ラベル印刷貼着手段、及び前記透明シート印刷封止手段へと順次間欠的に搬送する間欠搬送手段とを備える薬剤分包装置。
【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
パラフィン、オレフィンおよび／またはナフテンを含有する炭化水素を芳香族炭化水素に転化する反応に使用する中間細孔径ゼオライト系触媒であって、該反応使用前の時点で、該触媒に酸化亜鉛１．２〜２０重量％とアルミン酸亜鉛８．２〜５０重量％が共存することを特徴とする中間細孔径ゼオライト系触媒。
【請求項２】
該中間細孔径ゼオライト系触媒を構成する中間細孔径ゼオライトが、Ｓｉ／Ａｌ原子比が１２以上のゼオライト骨格を有していることを特徴とする請求項１に記載の触媒。
【請求項３】
該中間細孔径ゼオライト系触媒を構成する中間細孔径ゼオライトが、ＺＳＭ−５型ゼオライトであることを特徴とする請求項１または２記載の触媒。
【請求項４】
該中間細孔径ゼオライト系触媒の触媒活性が５００℃、大気圧下で測定したｎ−ヘキサン分解の初期の１次反応速度定数の値として０．２ｓｅｃ-1以上であることを特徴とする請求項１〜３のいずれかに記載の触媒。
【請求項５】
アルミナゾルと亜鉛を陽イオンとする化合物と中間細孔径ゼオライトとを混合し、乾燥後３００℃以上、８００℃以下の温度で焼成することを特徴とする請求項１〜４のいずれかに記載の触媒の製造方法。
【請求項６】
アルミナゾルと亜鉛を陽イオンとする化合物とを混合し、乾燥後３００℃以上、８００℃以下の温度で焼成し、水蒸気処理したものと中間細孔径ゼオライトとを混合し、乾燥後さらに３００℃以上、８００℃以下の温度で焼成することを特徴とする請求項１〜４のいずれかに記載の触媒の製造方法。
【請求項７】
中間細孔径ゼオライトと混合、乾燥、焼成した後、更に水蒸気処理することを特徴とする請求項５または６記載の触媒の製造方法。
【請求項８】
請求項１〜４のいずれかに記載の触媒を用いて、パラフィン、オレフィンおよび／またはナフテンを含有する炭化水素を芳香族炭化水素に転化する方法。
【手続補正２】
【補正対象書類名】明細書
【補正対象項目名】０００１
【補正方法】変更
【補正の内容】
【０００１】
【発明の属する技術分野】
本発明は亜鉛を担持した芳香族炭化水素製造用触媒に於いて、長期間の触媒の使用による芳香族収率の低下を抑制することのできる触媒、該触媒の製造方法及び該触媒を用いてパラフィン、オレフィンおよび／またはナフテンを含有する炭化水素を芳香族炭化水素に転化する方法に関する。


【手続補正３】
【補正対象書類名】明細書
【補正対象項目名】０００７
【補正方法】変更
【補正の内容】
【０００７】
（６）アルミナゾルと亜鉛を陽イオンとする化合物とを混合し、乾燥後３００℃以上、８００℃以下の温度で焼成し、水蒸気処理したものと中間細孔径ゼオライトとを混合し、乾燥後さらに３００℃以上、８００℃以下の温度で焼成することを特徴とする（１）〜（４）のいずれかに記載の触媒の製造方法。
（７）中間細孔径ゼオライトと混合、乾燥、焼成した後、更に水蒸気処理することを特徴とする（５）又は（６）記載の触媒の製造方法。
（８）（１）〜（４）のいずれかに記載の触媒を用いて、パラフィン、オレフィンおよび／またはナフテンを含有する炭化水素を芳香族炭化水素に転化する方法に関するものである。
【手続補正書】
【提出日】平成16年9月9日(2004.9.9)
【手続補正１】
【補正対象書類名】明細書
【補正対象項目名】請求項１１
【補正方法】変更
【補正の内容】
【請求項１１】
請求項１、８又は９に記載の蛋白質と、被検物質とを接触させ、該蛋白質と被検物質との反応性を解析することを特徴とする、末端にα−ＧａｌＮＡｃを有する糖鎖抗原の検出方法。
【手続補正２】
【補正対象書類名】明細書
【補正対象項目名】０００７
【補正方法】変更
【補正の内容】
【０００７】  すなわち、本発明によれば、（１）次の（Ａ）又は（Ｂ）の性質を有する蛋白質、（Ａ）配列表の配列番号：３に記載のアミノ酸配列を有する。（Ｂ）配列表の配列番号：３に記載のアミノ酸配列において、１若しくは数個のアミノ酸に置換、欠失、挿入、付加、又は逆位を含むアミノ酸配列からなり、かつ、α−ＧａｌＮＡｃに対する特異的結合能及び／又は血球凝集活性を有する。（２）上記（１）に記載の蛋白質をコードする塩基配列を含むＤＮＡ、（３）ＤＮＡが、配列表の配列番号：１に示す塩基配列を有するものである上記（２）に記載のＤＮＡ、（４）上記（２）又は（３）に記載のＤＮＡ、及びこれと連結するプロモーター配列を含むことを特徴とする組換えＤＮＡ、（５）上記（４）に記載の組換えＤＮＡを宿主に導入することにより取得されるＤＮＡ導入体、（６）上記（５）に記載のＤＮＡ導入体を培養して培養物中に蛋白質を生成せしめ、培養物から上記（１）に記載の蛋白質を採取することを特徴とする組換え蛋白質の製造法、（７）上記（４）に記載の組換えＤＮＡを無細胞蛋白質合成系を用いて転写／翻訳し、合成系中に蛋白質を生成せしめ、該合成系から上記（１）に記載の蛋白質を採取することを特徴とする組換え蛋白質の製造法、（８）上記（６）又は（７）に記載の方法により製造された組換え蛋白質、（９）次の性質を有する蛋白質、（ａ）α−ＧａｌＮＡｃに対する特異的結合能を有する。（ｂ）還元状態では２０ｋＤａの単量体、２量体及び３量体で存在し、非還元状態では３０ｋＤａの単量体及び２量体で存在する。（ｃ）ｐＨ５．５〜１０の範囲で血球凝集活性に大きな変化がない。（ｄ）血球凝集活性の発現には、金属塩の存在が必要である。（ｅ）配列表の配列番号：４〜７の何れかに記載のアミノ酸配列を有する。（１０）上記（１）、（８）又は（９）に記載の蛋白質、又は該蛋白質の部分ポリペプチドを抗原とする抗体、（１１）上記（１）、（８）又は（９）に記載の蛋白質と、被検物質とを接触させ、該蛋白質と被検物質との反応性を解析することを特徴とする、末端にα−ＧａｌＮＡｃを有する糖鎖抗原の検出方法、（１２）糖鎖抗原がＴｎ抗原である上記（１１）に記載の方法、（１３）上記（１）、（８）又は（９）に記載の蛋白質を含有してなる、上記（１１）又は（１２）に記載の検出方法を行うための試薬、（１４）上記（２）又は（３）に記載のＤＮＡを導入した非ヒト哺乳動物、又はその子孫、が提供される。
【手続補正３】
【補正対象書類名】明細書
【補正対象項目名】００４７
【補正方法】変更
【補正の内容】
【００４７】３．末端にα−ＧａｌＮＡｃを有する糖鎖抗原の検出方法  本発明の蛋白質はα−ＧａｌＮＡｃに対して特異的に結合する性質を有するので、末端にα−ＧａｌＮＡｃを有する糖鎖抗原の検出に有用である。中でも、末端にα−ＧａｌＮＡｃを有する糖鎖抗原を表面に発現する癌細胞の検出に有用である。また、α−ＧａｌＮＡｃを利用して該癌細胞を検出することにより、腫瘍の良性・悪性の判別、発癌状態や進行状態、再発等の予後の管理等にも有用な情報を得ることができる。検出に用いる蛋白質としては、α−ＧａｌＮＡｃに対する特異的結合能を有しているものであればいかなるものでもよいが、イトマキヒトデ等の生物から抽出・精製したものでもよいし、上記１．の（６）に記載の組換え蛋白質を用いることもできる。また、α−ＧａｌＮＡｃに対する特異的結合能を有してさえいれば、それらの蛋白質の部分断片、修飾蛋白質等を用いることもできる。
【手続補正４】
【補正対象書類名】明細書
【補正対象項目名】００４８
【補正方法】変更
【補正の内容】
【００４８】  本発明の蛋白質を用いて検出される対象としては、該蛋白質が結合しうる糖鎖抗原で有ればいかなるものでも対象となりうるが、本発明の蛋白質がα−ＧａｌＮＡｃに対する特異的結合能を有していることから、末端にα−ＧａｌＮＡｃを有する糖鎖抗原をより高感度で検出することができる。従って、該糖鎖抗原をその表面に発現している癌細胞を高感度で検出することができる。このような抗原の具体例としては、Ｔｎ抗原が挙げられる。Ｔｎ抗原は主要臓器の癌のほとんどにおいて発現すると言われ、その起源が上皮細胞であるものにより多く発現されると言われているが、特に高発現するものとしては、例えば、大腸癌、肺癌、膵臓癌、乳癌等が挙げられる。検出方法としては、例えば、免疫組織染色やＥＬＩＳＡ法等の免疫学的方法や、ｉｎ ｓｉｔｕハイブリダイゼーション法等の分子生物学的方法等が挙げられる。試料（被検物質）としては、被験者から採取した組織、細胞や、それらの抽出液、また、血液、リンパ液、尿、唾液等の体液、糞便等を用いることができる。
【手続補正５】
【補正対象書類名】明細書
【補正対象項目名】００５０
【補正方法】変更
【補正の内容】
【００５０】４．糖鎖抗原の検出試薬  本発明の試薬は、少なくとも本発明の蛋白質を含み、糖鎖抗原の検出を行えるものであれば、いかなる構成のものでもよい。中でも、該糖鎖抗原をその表面に発現している癌細胞の検出を行えるものが好ましい。該蛋白質としては、イトマキヒトデ等の生物から抽出・精製したものでもよいし、上記１．の（６）に記載の組換え蛋白質を用いてもよい。また、α−ＧａｌＮＡｃに対する特異的結合能を有してさえいれば、それらの蛋白質の部分断片、修飾蛋白質等を用いることもできる。
【手続補正６】
【補正対象書類名】明細書
【補正対象項目名】００５１
【補正方法】変更
【補正の内容】
【００５１】  試薬としての形態は、本発明の蛋白質の活性を維持できる形態であれば特に制限はなく、溶液や懸濁液等の液体でもよいし、固体であってもよい。また、例えば、上記したような免疫組織染色を行うための試薬の場合には、本発明の蛋白質は標識化物質を結合させて標識化されたものであることが好ましい。このような試薬を用いれば、本発明の糖鎖抗原の検出方法を精度良く簡便に行うことができる。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
電動起倒可能な背凭れ部内に、昇降動自在で複数の施療動作を行い得る施療機構を内装した施療機に記憶媒体挿入口を設け、該記憶媒体挿入口に、施療機構の施療動作を入力した施療動作プログラムや施療機構の施療動作位置を入力した施療部位プログラム及び施療機構の施療動作の施療時間を入力した施療時間プログラムや背凭れ部の起倒角度を入力した起倒角度プログラムの各プログラムにデータ変更不可能な固定データとデータ変更可能な選択データを記憶させた記憶媒体を装入し、各プログラムに従った施療位置での施療動作と施療時間及び背凭れ部の起倒角度で順次施療を行なわせるように構成したことを特徴とする自動施療機。
【請求項２】
前記選択データは、家庭用パソコンにより各プログラムのデータを選択設定して施療開始後から施療終了前の作動を制御させることができ、前記固定データで施療開始時及び施療終了時の作動を制御させるよう構成したことを特徴とする請求項１記載の自動施療機。
【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】
術眼の角膜に非球面の切除を施す角膜手術装置のための角膜切除量を得る眼科装置において、切除量を決定する要因となる術眼の測定データ及び切除領域のサイズデータを入力するデータ入力手段と、入力された測定データ及び切除領域のサイズデータに基づいて術眼の収差改良が含まれる切除量を決定する切除量決定手段であって、切除領域を所期する大きさの中央領域とその外周領域とに分割すると共に、中央領域は非球面にしない切除量とし、外周領域の少なくとも一部は収差改良が含まれる非球面の切除量として決定する切除量決定手段と、を備えることを特徴とする眼科装置。
【請求項２】
術眼の角膜に非球面の切除を施す角膜手術装置において、切除量を決定する要因となる術眼の測定データに基づいて求められた術眼の収差改良を含む切除量データを入力するデータ入力手段と、入力された切除量データを補正する切除量決定手段であって、切除領域を所期する大きさの中央領域とその外周領域とに分割すると共に、中央領域は非球面にしない切除量とし、外周領域の少なくとも一部は収差改良が含まれる非球面の切除量として決定する切除量決定手段と、を備えることを角膜手術装置。
【手続補正２】
【補正対象書類名】明細書
【補正対象項目名】０００７
【補正方法】変更
【補正の内容】
【０００７】
（１）  術眼の角膜に非球面の切除を施す角膜手術装置のための角膜切除量を得る眼科装置において、切除量を決定する要因となる術眼の測定データ及び切除領域のサイズデータを入力するデータ入力手段と、入力された測定データ及び切除領域のサイズデータに基づいて術眼の収差改良が含まれる切除量を決定する切除量決定手段であって、切除領域を所期する大きさの中央領域とその外周領域とに分割すると共に、中央領域は非球面にしない切除量とし、外周領域の少なくとも一部は収差改良が含まれる非球面の切除量として決定する切除量決定手段と、を備えることを特徴とする。
（２）  術眼の角膜に非球面の切除を施す角膜手術装置において、切除量を決定する要因となる術眼の測定データに基づいて求められた術眼の収差改良を含む切除量データを入力するデータ入力手段と、入力された切除量データを補正する切除量決定手段であって、切除領域を所期する大きさの中央領域とその外周領域とに分割すると共に、中央領域は非球面にしない切除量とし、外周領域の少なくとも一部は収差改良が含まれる非球面の切除量として決定する切除量決定手段と、を備えることを特徴とする。
【手続補正３】
【補正対象書類名】明細書
【補正対象項目名】００２１
【補正方法】変更
【補正の内容】
【００２１】
図４は切除領域を分割するパターンを説明する図である。まず、切除領域としてオプチカルゾーンのサイズｄ１を入力する。サイズｄ１は一般に７ｍｍのサイズが使用されるので、これを予め設定しておいても良いが、好ましくは術眼の暗所視での瞳孔サイズより大きなサイズにする。これは、暗所視での屈折力測定時又は測定前後に前眼部像を撮像し、その撮像画像から瞳孔サイズを計測しても良い。
【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
超音波を送受信させる超音波送受信部と、前記超音波送受信部を有する先端部を湾曲させる湾曲部と、体腔内に留置する管に挿入可能であり穿刺針を挿入する機構とを備えた体腔内超音波探触子において、前記湾曲部とグリップ間の硬性部を２方向から覆う着脱式のカバーを備え、前記硬性部と前記カバー間には前記穿刺針を挿入させる隙間部を有することを特徴とする体腔内用超音波探触子。
【手続補正２】
【補正対象書類名】明細書
【補正対象項目名】００１２
【補正方法】変更
【補正の内容】
【００１２】
本発明は、超超音波を送受信させる超音波送受信部と、前記超音波送受信部を有する先端部を湾曲させる湾曲部と、体腔内に留置する管に挿入可能であり穿刺針を挿入する機構とを備えた体腔内超音波探触子において、前記湾曲部とグリップ間の硬性部を２方向から覆う着脱式のカバーを備え、前記硬性部と前記カバー間には前記穿刺針を挿入させる隙間部を有する。
【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
複数の生理学的データ源（１２、１４）から生理学的データを選択するシステム（１０）であって、ある生理学的特性の第一の測定値を含む第一の生理学的データを供給するように構成されている第一の生理学的データ源（１２）と、前記生理学的特性の第二の測定値を含む第二の生理学的データを供給するように構成されている第二の生理学的データ源（１４）であって、前記第一の測定値及び第二の測定値は異なる生理学的性質に基づいている、第二の生理学的データ源（１４）と、前記第一及び第二の生理学的データを受け取って、前記第一の生理学的データ及び前記第二の生理学的データの少なくとも一方に基づいて前記生理学的特性についての出力データとして前記第一の測定値及び前記第二の測定値の一方を選択するように構成されている選択アルゴリズム（２０）とを備えたシステム（１０）。
【請求項２】
前記出力データを受け取って、該出力データと所定の警報条件とを比較して、該比較に基づいて警報信号を供給するように構成されている警報アルゴリズム（２８）をさらに含んでいる請求項１に記載のシステム。
【請求項３】
前記第一の生理学的データは、前記生理学的特性の前記第一の測定値の統計関数をさらに含んでいる請求項１又は２に記載のシステム。
【請求項４】
不整脈検出アルゴリズムの精度を改善するシステム（１０）であって、心電図（ＥＣＧ）センサ（１６）から心電図信号を受け取って、該受け取った心電図信号に基づいて心電図心搏数データを生成するように構成されている心電図データ源（５４）と、前記心電図心搏数データを受け取って、不整脈状態を検出するように構成されている不整脈検出アルゴリズム（５４）と、血行動態的心搏数センサ（１８、２４）から信号を受け取って、該受け取った信号に基づいて血行動態的心搏数データを生成するように構成されている血行動態的心搏数データ源（５６、５８）と、前記心電図心搏数データ及び前記血行動態的心搏数データを受け取って、前記検出した不整脈状態及び前記血行動態的心搏数データに基づいて警報信号を供給するように構成されている警報アルゴリズム（２８）とを備えたシステム（１０）。
【請求項５】
前記不整脈検出アルゴリズムにより不整脈状態が検出されたときに、前記警報アルゴリズム（２８）は、前記血行動態的心搏数データが不整脈状態が存在しないと指示している場合には前記警報信号を防止するように構成されている請求項４に記載のシステム。
【請求項６】
前記血行動態的心搏数データ源は侵襲性動脈血圧（ＩＢＰ）センサ（１８）又はパルス・オキシメトリ（ＳｐＯ2）センサ（２４）から信号を受け取る請求項４に記載のシステム。
【請求項７】
心搏数限度警報の精度を改善するシステム（１０）であって、第一のセンサ（１６）から第一の信号を受け取って、該第一の信号に基づいて第一の心搏数を生成するように構成されている第一の心臓信号源（１２）と、前記第一のセンサ（１６）とは異なる生理学的性質を監視する第二のセンサ（１８）から第二の信号を受け取って、該第二の信号に基づいて第二の心搏数を生成するように構成されている第二の心臓信号源（１４）と、前記第一及び第二の心搏数を受け取って、両心搏数のうち最も正確な方を判定して、両心搏数のうちの前記最も正確な方が所定の限度外にあるときにのみ心搏数限度警報信号を発生するように構成されている警報アルゴリズム（２８）とを備えたシステム（１０）。
【請求項８】
前記警報アルゴリズム（２８）は、前記第一の心搏数が所定の心搏数を上回る心搏数まで上昇しており、且つ前記第二の心搏数が実質的に一定に留まっているときに、前記最も正確な心搏数として前記第二の心搏数を選択するように構成されている請求項７に記載のシステム。
【請求項９】
複数の生理学的データ源（１２、１４）から生理学的データを選択する方法（７０）であって、ある生理学的特性の第一の測定値を含む第一の生理学的データを供給する工程（７４）と、前記生理学的特性の第二の測定値を含む第二の生理学的データを供給する工程（７２）であって、前記第一の測定値及び前記第二の測定値は異なる生理学的性質に基づいている、第二の生理学的データを供給する工程（７２）と、前記第一の生理学的データ及び前記第二の生理学的データの少なくとも一方に基づいて前記生理学的特性についての出力データとして前記第一の測定値及び前記第二の測定値の一方を選択する工程（７８）とを備えた方法（７０）。
【請求項１０】
前記出力データと所定の警報条件とを比較する工程と、該比較に基づいて警報信号を供給する工程とをさらに含んでいる請求項９に記載の方法。